(57)【要約】【課題】目の片側を手術した場合、手術後の目を保護するためにガーゼをするが、手術の内容によりガーゼの上にさらに、患部への衝撃防止のため金属製眼帯（医療用語で佐伯という）をかけることがある。この場合、メガネ使用者はメガネのフレームやレンズ、鼻パッドが佐伯に引っかかり、メガネをかけることができない。また、その他の目疾患で通常の眼帯を使用する場合にあっても、メガネをかけると違和感がある。このため、これらの課題を解決し、目疾患患者が不自由なくメガネを使用することができる、片目用メガネを提供する。【解決手段】通常のメガネを改良し、ブリッジ１の先端部にまる型フック２ａ，又はかぎ型フック２ｂを接合し、該フック部に布製または、伸縮性ヒモ３を結合し、そのヒモをテンプルの代用として耳に固定する。そのことにより、佐伯使用者や通常の眼帯使用者は、安定的にメガネを装着することができる。【選択図】図１
0003120024.tif 000002
【実用新案登録請求の範囲】
【請求項１】
矯生用レンズを備え、テンプルを有する片側の枠体、又はテンプルを有する矯正用レンズ自体からなるメガネであって、その枠体、又は矯生用レンズのブリッジ部に、まる型又は、かぎ型のフックを設け，該フック部にヒモを結合し，該ヒモを耳にかけて固定する片目用メガネ。
【請求項２】
前記かぎ型フック部の先端部を、ゴム等の軟質性材やプラスチック等の合成樹脂材を被せた請求項１に記載したメガネ。
【請求項３】
前記ヒモは布製又は，伸縮性ヒモの一対からなり、その一対のヒモの先端側を結んで耳にかけるようにしてあることを特徴とする請求項１の片目用メガネ。
【請求項４】
前記ヒモは布製、又は伸縮性ヒモを環状に形成してあることを特徴とする請求項１の片目用メガネ。
【考案の詳細な説明】
【技術分野】
【０００１】本考案は，目疾患患者用の片目用メガネである。
【背景技術】
【０００２】現在は，疾患患者用の片目用メガネがない。
【考案の開示】
【考案が解決しようとする課題】
【０００３】本考案は，目の片側を手術した場合、術部眼をガーゼで保護するが，患部への衝撃を防ぐため、ガーゼの上にさらに佐伯（金属製眼帯）を装着する場合がある，佐伯は凸面上になっているため、メガネ使用患者は、メガネのフレームやレンズ、さらに鼻パッドが佐伯に引っかかり、メガネを使用することが出来ない。また，通常の眼帯使用者においても，従来のメガネをかけると違和感や不都合がある。
【課題を解決するための手段】
【０００４】このため、請求項１にあるように、矯生用レンズを備え、テンプルを有する片側の枠体、又はテンプルを有する矯生用レンズ自体からなるメガネであって、その枠体、又は矯生用レンズのブリッジ部にフックを設け、該フック部にヒモを結合し、該ヒモを耳にかけて固定する、片目用メガネとして課題を解決する。【０００５】そして、請求項１のうち、かぎ型フック部の先端２ｂにゴム等の軟質材やプラスチック等の合成樹脂材９を被せる。【０００６】また、前記メガネのヒモは、両端を結んで耳にかけるようにする。あるいは、該ヒモをリングに通して固定してもよい。【０００７】さらに、前記ヒモは環状に形成して、耳にかけるようにしてもよい。
【考案の効果】
【０００８】本考案の片目用メガネは、メガネ固有の構造が生かされて目疾患患者が、安定的にメガネを装着できるメリットがある。また、矯生用レンズは常用しているメガネの度数と同一のため、あらためて視力検査をする必要がない。
【考案を実施するための最良の形態】
【０００９】以下，本考案を実施するための最良の形態を，図面を参照しながら，具体的に説明する。図１は、メタルフレーム型メガネの実施例で、メタルフレーム４に矯生用レンズ５をはめ込み、耳かけ用テンプル６と鼻パッド７、ブリジ１を有するメガネで，ブリッジ１に、まる型フック２ａを接合し、該フックに先端部が開放型のヒモ３を結合し、耳に固定するために先端部を結ぶ、あるいはリングに該ヒモを通して固定してもよい。【００１０】図２は、同じく、ナイローム型メガネの実施例で、フレームは上半分がメタル４、下半分がテングス８で構成されている。【００１１】図３は、同じく、フレームなし型メガネの実施例である。【００１２】図４は、メタルフレーム型メガネの実施例で、ブリッジ１に、まる型フック２ａを接合し、該フックに環状型のヒモ３を結び付けて該ヒモを耳に固定する。【００１３】図５は、同じく、ナイローム型メガネの実施例である。【００１４】図６は、同じく、フレームなし型メガネの実施例である。【００１５】図７は、メタルフレーム型メガネの実施例で、ブリッジ１に、保護カバー９を被せたかぎ型フック２ｂを接合し、該フックに先端部が開放型のヒモ３を結び付けて、該ヒモを耳に固定する。【００１６】図８は、同じく、ナイローム型メガネの実施例である。【００１７】図９は、同じく、フレームなし型メガネの実施例である。【００１８】図１０は、メタルフレーム型メガネの実施例で、ブリッジ１に、かぎ型フック２ｂを接合し、該フックに先端部が環状型のヒモ３を結び付けて、該ヒモを耳に固定する。【００１９】図１１は、同じく、ナイローム型メガネの実施例である。【００２０】図１２は、同じく、フレームなし型メガネの実施例である。【００２１】図１３は、まる型フック部２ａを拡大したものである。【００２２】図１４は、かぎ型フック部２ｂを拡大したものである。【００２３】図１５は片目用メガネの使用状況図である。【００２４】かぎ型フック２ｂの両先端部には、皮膚を保護するため、ゴム等の軟質性材、又はプラスチック等の合成樹脂材からなる保護カバー９を被せる。【００２５】また、かぎ型フックの構造については、顔面になじみやすい形状とする。【００２６】前記のヒモ３は、疾患した目に装着された佐伯または、眼帯の表面を押さえつけるように通過して耳に固定し、図１から図１２までの片目用メガネを、安定的に顔面に装着するものである。【００２７】以上、通常のメガネを改良したものの実施態様について説明したが、本考案においては、通常のメガネを改造する以外に、目的に添った片目用メガネを用いることも、当然である。
【図面の簡単な説明】
【００２８】
【図１】  本考案の実施例を示す、全体斜視図である。
【図２】  他の実施例の全体斜視図である。
【図３】  他の実施例の全体斜視図である。
【図４】  他の実施例の全体斜視図である。
【図５】  他の実施例の全体斜視図である。
【図６】  他の実施例の全体斜視図である。
【図７】  他の実施例の全体斜視図である。
【図８】  他の実施例の全体斜視図である。
【図９】  他の実施例の全体斜視図である。
【図１０】  他の実施例の全体斜視図である。
【図１１】  他の実施例の全体斜視図である。
【図１２】  他の実施例の全体斜視図である。
【図１３】  図１から図６中の、１，２ａの部分の拡大斜視図である。
【図１４】  図７から図１２中の、１，２ｂの部分の拡大斜視図である。
【図１５】  片目用メガネの使用状況図である。
【符号の説明】
【００２９】  １    ブリッジ
２ａ  まる型フック
２ｂ  かぎ型フック
３    ヒモ
４    メタルフレーム
５    矯生用レンズ
６    テンプル
７    鼻パッド
８    テングスフレーム
９    保護カバー
１０    佐伯
１１    ガーゼ
【図１】
0003120024.tif 000003
【図２】
0003120024.tif 000004
【図３】
0003120024.tif 000005
【図４】
0003120024.tif 000006
【図５】
0003120024.tif 000007
【図６】
0003120024.tif 000008
【図７】
0003120024.tif 000009
【図８】
0003120024.tif 000010
【図９】
0003120024.tif 000011
【図１０】
0003120024.tif 000012
【図１１】
0003120024.tif 000013
【図１２】
0003120024.tif 000014
【図１３】
0003120024.tif 000015
【図１４】
0003120024.tif 000016
【図１５】
0003120024.tif 000017
【手続補正書】
【提出日】平成17年12月6日(2005.12.6)
【手続補正１】
【補正対象書類名】実用新案登録請求の範囲
【補正対象項目名】全文
【補正方法】変更
【補正の内容】
【実用新案登録請求の範囲】
【請求項１】
矯生用レンズを備え、テンプルを有する片側の枠体、又はテンプルを有する矯生用レンズ自体からなるメガネであって、その枠体、又は矯生用レンズのブリッジ部に、まる型又は、かぎ型のフックを設け、該フック部にヒモを結合し、該ヒモを耳にかけて固定する片目用メガネ。
【請求項２】
前記かぎ型フック部の先端部を、ゴム等の軟質性材やプラスチック等の合成樹脂材を被せた請求項１に記載したメガネ。
【請求項３】
前記ヒモは布製又は、伸縮性ヒモの一対からなり、その一対のヒモの先端側を結んで耳にかけるようにしてあることを特徴とする請求項１の片目用メガネ。
【請求項４】
前記ヒモは布製、又は伸縮性ヒモを環状に形成してあることを特徴とする請求項１の片目用メガネ。